(57)【要約】  意匠性を悪化させずに室温を検知できる空気調和機の室内機を提供する。本発明に係る空気調和機の室内機は、背面が壁に取り付けられ吸込口及び吹出口が形成された筐体と、吸込口から吹出口に至る主風路に配置された熱交換器及び送風機と、取り込んだ空気の温度を検知する室温センサと、を備える。筐体は、背面に隣接した側面に、室温センサに送る空気を取り込む空気流入口を有する。室温センサは、空気流入口から主風路までを接続する風路に設けられ、空気流入口は、背面側に向いて開口されている。
2017138063.tif 000002
【特許請求の範囲】
【請求項１】
背面が壁に取り付けられ吸込口及び吹出口が形成された筐体と、
前記吸込口から前記吹出口に至る主風路に配置された熱交換器及び送風機と、
取り込んだ空気の温度を検知する室温センサと、を備え、
前記筐体は、
前記背面に隣接した側面に、前記室温センサに送る空気を取り込む空気流入口を有し、
前記室温センサは、
前記空気流入口から前記主風路までを接続する風路に設けられ、
前記空気流入口は、
背面側に向いて開口されている、空気調和機の室内機。
【請求項２】
前記筐体の前記側面は、
前記筐体の外側に位置する第１面と、該第１面から前記筐体の内側方向に離れて位置する第２面との間に形成された段差面を有し、
前記段差面は、
前記筐体の背面側に向き、
当該段差面に背面側に向いて開口された凹形状部を備え、
前記凹形状部の開口は、
前記空気流入口である、請求項１に記載の空気調和機の室内機。
【請求項３】
前記凹形状部の内部に前記筐体の内部に連通する通気口を備え、
前記空気流入口から前記凹形状部、前記通気口を経て前記室温センサに至る空気流路を有する、請求項２に記載の空気調和機の室内機。
【請求項４】
前記筐体は、
側面側の構造となる筐体側面部と、
該筐体側面部を覆う側面パネルと、を備え、
前記筐体側面部は、
前記第２面と
前記通気口と、を有し、
前記側面パネルは、
前記第１面を有し、
前記筐体側面部に組み付けられて前記段差面を形成する、請求項３に記載された空気調和機の室内機。
【請求項５】
前記凹形状部は、
前記通気口の周囲に立設される流路壁を備え、
前記流路壁は、
前記筐体の背面側が開放され、
前記側面パネルは、
前記第１面を前記筐体の外側に有する基部と、
該基部の外縁部から立設する外周壁と、を備え、
前記空気流路は、
前記通気口と、前記通気口が設けられた面と、前記流路壁と、前記基部と、により形成される、請求項４に記載の空気調和機の室内機。
【請求項６】
前記流路壁は、
前記筐体側面部に立設される、請求項５に記載の空気調和機の室内機。
【請求項７】
前記流路壁は、
前記側面パネルの前記基部に立設される、請求項５に記載の空気調和機の室内機。
【請求項８】
前記室温センサは、
前記通気口と前記主風路とを接続する副風路に設置される、請求項３〜７の何れか１項に記載の空気調和機の室内機。
【請求項９】
室内機を制御する制御基板を収納する電気部品箱をさらに備え、
前記電気部品箱は、
前記副風路に設置され、
前記室温センサは、
前記電気部品箱の下部に設置される、請求項８に記載の空気調和機の室内機。
【発明の詳細な説明】
【技術分野】
【０００１】
本発明は、空気調和機の室内機に関し、特に室温センサの配置に関する。
【背景技術】
【０００２】
従来の空気調和機の室内機は、室内の空気の温度を測定するための室温センサを備えている。室温センサは、正しい室温を検知するために、室内機内部に設置されている熱交換器の熱影響が無い位置に配置される。そこで、室温センサを室内機の筐体内部の左右方向の一方の端部に配置し、その端部を覆っている筐体の室温センサと対応する位置に室内空気を導入する通気口を設けている。空気調和機の運転中は、通気口から流れ込む室内の空気の温度を室温センサが検出し、空調制御に使用している。【０００３】
例えば、特許文献１に開示されている空気調和機の室内機によれば、筐体の壁面に、室温センサに対応する外気連通口が形成され、室温センサが、筐体の外気連通口の内側近傍に位置するように設けられているので、筐体の外気連通口を通じて室温センサに外気を接触させることにより、室温センサによって、熱交換器の影響を受けずに室内温度を検出することができる。
【先行技術文献】
【特許文献】
【０００４】
【特許文献１】特開平１１−２３０６０１号公報
【発明の概要】
【発明が解決しようとする課題】
【０００５】
しかし、特許文献１に開示されているところでは、空気調和機の室内機の筐体の一方の側面に通気口が開口されている。室内空気の正確な温度を検出するためには、十分な空気量が必要であるため、通気口の開口面積が必要である。また、通気口が筐体の表面に露出しているため、人の指先が通気口から室内機内部に入らないように、通気口をスリット状に形成する必要がある。また、通気口から内部構造が見えないようにするためにも、通気口は、内部が視認しにくい形状に形成される必要がある。すると、通気口の開口面積を多くするために通気口のスリットの数を多くしなければならないという課題がある。また、スリットを数多く設置すると通気口が外観から視認しやすくなり意匠として見栄えが良くないという課題がある。また、通気口が常に使用者の目に触れ、また、室内機の外観も左右対称にならないため、その点においても室内機の意匠性が損なわれている。さらに、通気口が設けてある側面が、室内の壁の近くになるように室内機が設置されると、通気口に導入される風量が少なくなり、正しい室温を検知することができないという課題がある。【０００６】
本発明は、上記のような課題を解決するためになされたもので、室温センサを熱交換器の熱影響を受けずに配置し、室温検知のために必要な空気量を確保しつつ、外部から使用者が視認しにくい位置に通気口を配置することにより、外観の見栄えを損なわない空気調和機の室内機を提供するものである。
【課題を解決するための手段】
【０００７】
本発明に係る空気調和機の室内機は、背面が壁に取り付けられ吸込口及び吹出口が形成された筐体と、前記吸込口から前記吹出口に至る主風路に配置された熱交換器及び送風機と、取り込んだ空気の温度を検知する室温センサと、を備え、前記筐体は、前記背面に隣接した側面に、前記室温センサに送る空気を取り込む空気流入口を有し、前記室温センサは、前記空気流入口から前記主風路までを接続する風路に設けられ、前記空気流入口は、背面側に向いて開口されている。
【発明の効果】
【０００８】
本発明によれば、空気調和機の運転時に、室温センサが熱交換器の影響を受けずに正確な温度を検知することができる。また、通気口が使用者から視認しにくい位置に設けられているため、開口面積を大きく取ることができ、室温を検知するに当たり十分な空気量を室温センサに送ることができる。また、開口面積を大きくしても、使用者の目に触れにくいことから、室内機の内部構造が視認できず、室内機の意匠を損なうこと無く、通気口を設置することができる。
【図面の簡単な説明】
【０００９】
【図１】本発明の実施の形態１における空気調和機の室内機の外観斜視図である。
【図２】図１の空気調和機の室内機の分解斜視図である。
【図３】図１の空気調和機の室内機の断面図である。
【図４】図１に示す空気調和機の室内機の前面パネルと右側の筐体側面部を取り外した状態の図である。
【図５】図４の室温センサ周辺の拡大図である。
【図６】本発明の実施の形態１の空気調和機の室内機の筐体側面部の斜視図である。
【図７】図１の室内機の側面パネルを取り外した図である。
【図８】図１の室内機の右側の側面パネルを裏側から見た斜視図である。
【図９】図１の室内機の右側側面を背面上方から見た模式図である。
【図１０】本発明の実施の形態１における図１のＢ−Ｂ断面を表す図である。
【図１１】図１０に対し通気口と空気流入口の位置関係を変更した図である。
【図１２】本発明の実施の形態２における室内機の右側の側面パネルを裏側から見た斜視図である。
【図１３】本発明の実施の形態２における室内機の右側の筐体側面部の斜視図である。
【図１４】本発明の実施の形態３における室内機の右側の側面パネルを裏側から見た斜視図である。
【図１５】本発明の実施の形態３における室内機の図１のＢ−Ｂ断面を表す図である。
【図１６】本発明の実施の形態４における室内機の右側の筐体側面部の斜視図である。
【図１７】本発明の実施の形態４における図１のＢ−Ｂ断面を表す図である。
【発明を実施するための形態】
【００１０】
以下、図面に基づいて本発明の実施の形態について説明する。各図において、同一の符号を付した機器等については、同一の又はこれに相当する機器を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１１】
実施の形態１.
＜空気調和機の室内機１００＞
図１は、本発明の実施の形態１における空気調和機の室内機１００の外観斜視図である。図１に示されるように、室内機１００は、直方体の筐体３０の上面に吸込口１１が配置され、下面に吹出口１２が配置されている。筐体３０の正面は、前面パネル３３で覆われている。また、筐体３０の側面は、正面から向かって右側の側面を側面パネル３１ａ、正面から向かって左側の側面を側面パネル３１ｂで覆っている。筐体３０の上面は、上面パネル３２で覆われており、上面パネル３２に開口が設けられており吸込口１１となっている。筐体３０の背面側は、背面ケーシング３４があり、背面ケーシング３４を室内の壁面に固定して室内機１００が設置される。
【００１２】
＜室内機１００を構成する筐体３０の構造＞
図２は、図１の空気調和機の室内機１００の分解斜視図である。筐体３０を構成する部品のうち、前面パネル３３、側面パネル３１、を外し、さらに筐体３０の右側の側面の内部構造である筐体側面部３５ａ及び筐体３０の左側の側面の内部構造である筐体側面部３５ｂを外した状態の図である。前面パネル３３を外した正面側は、筐体正面部３６が配置されている。筐体正面部３６の右側の側面には、内部に室内機１００を制御する制御装置が内蔵された電気部品箱２０が配置されている。なお、筐体３０を構成する各部品は、複数の部品を一体に構成してもよい。例えば、上面パネル３２と筐体正面部３６とを一体にして１つの部品として構成してもよい。
【００１３】
＜室内機１００の内部構造＞
図３は、図１の空気調和機の室内機１００の断面図である。図３は、室内機１００の断面を筐体３０の右側から見た図である。図３に示されるように、筐体３０の上面にある吸込口１１から吹出口１２の間は、前面側が筐体正面部３６、背面側が背面ケーシング３４が配置され、主風路１０が形成されている。また、吹出口１２は、筐体正面部３６の下部に位置する筐体底部３７に設けられている。筐体底部３７も吹出口１２の周辺の主風路１０を構成している。吹出口１２の内部には、左右の風向を調整するために左右風向板１５が、設置されている。吹出口１２の開口部には、上下の風向を調整するために上下風向板１６が吹出口１２を開閉できる様に設けられている。主風路１０の上流側、つまり吸込口１１側には、熱交換器１３が配置されている。熱交換器１３の下流には送風機１４が配置されている。なお、熱交換器１３は、本願発明の熱交換器に相当し、送風機１４は、本願発明の送風機に相当する。熱交換器１３は、送風機１４の上側から前面側を囲む様に配置されている。送風機１４が図略のモータの駆動によって空気の流れを生じさせると、吸込口１１から吸入された空気は、熱交換器１３を通過し、吹出口１２へと送られる。熱交換器１３は、熱交換器配管内を流れる冷媒と送風機１４によって供給される室内空気との間で熱交換させる。送風機１４は、実施の形態１においてはクロスフローファンが用いられているが、これに限定されるものでは無い。
【００１４】
＜室内機１００の側面側の構造と室温センサ５０の配置＞
図４は、図１に示す空気調和機の室内機１００の前面パネル３３と右側の筐体側面部３５ａを取り外した状態の図である。図５は、図４の室温センサ５０周辺の拡大図である。図４の室温センサ周辺部Ａの拡大図が図５に相当する。図４及び図５において電気部品箱２０の底部に、室内温度を検出するための室温センサ５０が取り付けられている。この室温センサ５０は筐体側面部３５ａの内側に配置されている。なお、室温センサ５０は、例えばサーミスタにより構成される。
【００１５】
室温センサ５０を熱交換器１３に隣接して配置しないことにより、室温センサ５０は、熱交換器１３の熱影響を受けることがない。従って、室温センサ５０は、正しい室温を検知することができる。また、室温センサ５０は、電気部品箱２０の下側の電気部品箱２０に近い場所に配置されている。室温センサ５０により検知された室温は、空調制御に用いられる。そのため、室温センサ５０は、配線により電気部品箱２０内の図示されていない制御装置に接続されている。室温センサ５０と制御装置との間の配線を短くするためには、室温センサ５０は、電気部品箱２０の近傍に配置することが望ましい。また、空気調和機の運転中は、空調制御が行われることにより、制御装置に熱を生じる。よって、電気部品箱２０も空気調和機の運転中に熱を生ずる。電気部品箱２０で生じた熱は、上方向に移動しやすいため、室温センサ５０は、電気部品箱２０の下側に配置することが望ましい。ただし、電気部品箱２０の熱の影響を抑えることができれば、室温センサ５０の配置は、上記の配置に限られない。
【００１６】
図６は、本発明の実施の形態１の空気調和機の室内機１００の筐体側面部３５ａの斜視図である。図６に示される様に、筐体側面部３５ａには筐体３０の内部に配置された室温センサ５０の位置に対応する通気口２２が形成されている。室温センサ５０は、筐体側面部３５ａの通気口２２の内側に位置する。室温センサ５０は、より正確な室温を検知するために、可能な限り筐体３０内部であって、室内空間に近い場所に配置される。実施の形態１においては、図６において筐体側面部３５ａの面２６のすぐ裏側で、通気口２２の開口の内部に配置されている。通気口２２は、室内機１００の側面側に向けて開口されており、側面パネル３１ａにより覆われる。
【００１７】
＜側面パネル３１ａ及び筐体側面部３５ａの構造＞
図７は、図１の室内機１００の側面パネル３１ａを取り外した図である。図７は、室内機１００の正面から見ての右側を示した図である。図６及び図７に示されるように、室内機１００の正面から見て右側の筐体側面部３５ａに室温センサ５０に対応する通気口２２が形成されている。
【００１８】
図２に示されるように、通気口２２を備える筐体側面部３５ａを覆うように側面パネル３１ａが取り付けられている。これにより、図１に示されている室内機１００の正面から向かって右側の側面において、通気口２２は室内機１００の表面に露出されることがなく、室内機１００の設置状態において外観面に穴が見られないため、通気口２２は、室内機１００のデザインに影響しない。また、通気口２２は、側面パネル３１ａに覆われており室内機１００のデザインに影響しないため、側面パネル３１ａからはみ出さない範囲で、開口面積を大きくすることも可能である。
【００１９】
図８は、図１の室内機１００の右側の側面パネル３１ａを裏側から見た斜視図である。つまり、図８は、側面パネル３１ａを室内機１００の内側から外側に向けて見た時の斜視図である。側面パネル３１ａは、平板状の基部４０と基部４０の外縁部から基部４０の法線方向に立ち上がっている外周壁４１ａ〜４１ｄを有する。つまり、側面パネル３１ａは、単なる平板ではなく、内部の余分な肉を抜いた箱状の構造になっている。側面パネル３１ａをこのような中空構造にすることで、使用する材料費を削減することができ、肉厚も均一な構造にできるため成形性もよくなる。側面パネル３１ａは、外周壁４１ｂが室内機１００の正面側になり、外周壁４１ｄが室内機１００の背面側に向く。また、外周壁４１ａは室内機１００の天面側になり、外周壁４１ｃは底面側になる。
【００２０】
外周壁４１ｄは、一部が矩形に切り欠かれており、空気流入口４３となっている。基部４０における外縁部から内側方向に向かって、空気流入口４３から流路壁４２ａと流路壁４２ｃが延びている。流路壁４２ａと流路壁４２ｃとが延びた先の端部には、流路壁４２ｂが流路壁４２ａと流路壁４２ｃとの間を繋ぐように設置されている。つまり、流路壁４２ａ〜４２ｃは、空気流入口４３を入口側として袋状に壁が設けられている。
【００２１】
＜温度検知用の空気の流路について＞
図９は、図１の室内機１００の右側側面を背面上方から見た模式図である。筐体３０の側面は、図９に示される様に、筐体３０の外側に位置する第１面３８と、第１面３８から筐体の内側方向に離れて位置する第２面３９を有する。第１面３８と第２面３９との間には、第１面３８及び第２面に対し垂直に形成された段差面４５を有する。第１面３８は、側面パネル３１ａの一部である。第２面３９は、実施の形態１においては筐体側面部３５ａ及び背面ケーシング３４により構成される。段差面４５は、筐体３０の背面側に向いている。段差面４５には、背面側に向いて開口された凹形状部を備え、その凹形状部の開口部が空気流入口４３になっている。凹形状部の内部には、筐体３０の内側に向かって穴が開けられており、その穴が通気口２２である。
【００２２】
図１０は、本発明の実施の形態１における図１のＢ−Ｂ断面を表す図である。図１０は、室内機１００の筐体３０のうち、側面パネル３１ａ、筐体側面部３５ａ及び前面パネル３３を、空気流入口４３及び通気口２２を含む断面で表した図である。なお、側面パネル３１ａ及び筐体側面部３５ａは、図９に示されるように、接して重なって組み付けられている。そして、側面パネル３１ａと筐体側面部３５ａとにより、段差４６が形成されている。段差４６は、室内機１００の背面側が段差面４５となるように形成されている。空気流入口４３は、その段差面４５に設けられ、開口している。段差４６の段差面４５は、室内の壁に取り付けられる筐体３０の背面から前面側に所定の距離だけ離れて設置されている。段差面４５が、筐体３０の背面に近すぎると、室内機１００を室内の壁に設置したときに、空気流入口４３と壁面とが近くなり、空気の吸込量が減少してしまう場合がある。
【００２３】
流路壁４２ａ〜４２ｃにより囲まれた空気流路４４は、筐体側面部３５ａに設けられた通気口２２に側面側から覆い被さるように設けられている。空気流路４４を形成する流路壁４２ａ〜４２ｃは、通気口２２の開口の周囲の３方向を囲うように設置されている。流路壁４２ａ〜４２ｃは、筐体３０の背面側に向かって開放されている。また、流路壁４２ａ〜４２ｃは、筐体側面部３５ａの通気口２２が開口されている面に接して組み付けられている。これにより、空気流入口４３から通気口２２に至るまでの空気流路４４には、通気口２２よりも大きい開口が存在しないため、送風機１４の回転によって空気流入口４３から流入した空気は、空気流路４４にたまり、通気口２２に導入される。つまり、側面パネル３１ａ及び筐体側面部３５ａとの間に、空気流入口４３から空気流路４４を経て通気口２２に至る経路が形成されることになる。空気調和機の室内機１００が設置されている室内の空気は、図１０に示される空気流Ｃのように筐体３０内に流入する。なお、図９において、流路壁４２ａ〜４２ｃは、矩形に通気口２２を囲んでいるが、例えば、Ｕ字形状、２つの壁により三角形状で通気口２２を囲む形にしても良い。
【００２４】
また、図１０に示されるように、実施の形態１においては、空気流入口４３の開口している方向と通気口２２の開口している方向とは直角の位置関係になっている。つまり、通気口２２は、室内機１００の側面に垂直方向に開口されているため、空気流入口４３は、室内機１００の背面方向に向いて開口している。通気口２２の奥側には室温センサ５０が配置されている。なお、通気口２２は、室内機１００の側面に垂直方向に開口する形態に限定されない。通気口２２は、その周囲に流路壁４２を設け空気流路４４が形成され室温センサ５０に空気を導入できるようになっていれば良い。
【００２５】
また、空気流入口４３は、室内機１００の背面側に向けて設けられている。これにより、室内機１００の正面、底面、側面のそれぞれの方向から空気流入口４３は見えなくなるため、空気流入口４３は、室内機１００の外観に影響を与えない。これにより、室内機１００の意匠性を向上させることができる。
【００２６】
さらには、側面パネル３１ａと筐体側面部３５ａとにより形成されている段差４６は、室内機１００の背面から正面側寄りに所定の距離を持って設けられている。そして、段差４６に設けられている空気流入口４３を室内機１００の背面側に向けていることで、室内機１００の右側側面を壁面近くにした状態で室内機１００を室内に据え付けても、空気流入口４３は壁面にふさがれることがないため、空気流入口４３への空気の流れを確保することができる。
【００２７】
空気流入口４３は、室内機１００の背面に向けて開口されており、通気口２２が側面側に向けて開口され側面パネル３１ａにより覆われている。この構造により、空気流入口４３及び通気口２２は、側面側から見えなくなる。そのため、空気流入口４３及び通気口２２の開口面積を大きくすることができる。よって、室温センサ５０への空気流量を自由に増やすことができるため、室温センサ５０の室温検知の正確性を改良することができる。
【００２８】
＜室温検知用の空気の流れ＞
図１１は、図１０に対し通気口２２と空気流入口４３の位置関係を変更した図である。図１０及び図１１に示される様に、空気流入口４３から流入する空気の流れる空気流ＣはＬ字状になっている。図１１においては、通気口１２２は、空気流入口４３から距離をおいて奥側に配置されている。そして、空気流路４４の室内機正面側に配置されている流路壁４２ｂよりも室内機背面側に、通気口２２の室内機正面側の端部が位置している。一方、図１０においては、室内機１００の前後方向の位置において、空気流入口４３の開口と同じ位置に通気口２２の室内機背面側の端部が配置されており、通気口２２の室内機正面側の端部は、流路壁４２ｂの壁面と同じ位置に配置されている。つまり、通気口２２は、側面パネル３１ａの基部４０と流路壁４２ａ〜４２ｃとにより囲まれており、空気流路４４が形成されることにより、空気流入口４３から流れてきた空気を側面パネル３１ａと筐体側面部３５ａとの間で拡散させることなく、通気口２２から室温センサ５０へ流すことができる。
【００２９】
通気口２２から主風路１０までの間に副風路が形成されており、主風路１０の送風機１４が作動すると、吸込口１１からだけでなく、副風路の空気も主風路１０に引き込まれる。副風路の空気が主風路１０に引き込まれると、空気流入口４３にも室内の空気が流れ込む。この空気の流れの中に室温センサ５０を配置することにより、室温が検知される。室温センサ５０は、空気流入口４３寄りに配置されているため、室内機１００内部の温度影響を受けずに室温を正確に検知することができる。つまり、空気流入口４３から室内機１００内に導入される空気の流れは、空気流入口４３から空気流路４４、通気口２２、副風路を経て主風路１０に入る。副風路は、上流に室温センサ５０が配置され、その下流に電気部品箱２０が配置されている。副風路を流れる空気は、上流で室温センサ５０により温度が検知され、そこを通過した後に電気部品箱２０を冷却しながら主風路１０に導入される。
【００３０】
また、空気流路４４を流れる空気は、側面パネル３１ａ及び筐体側面部３５ａと熱交換する。よって、空気流入口４３から通気口２２までの寸法が長いと、空気流路４４内で空気の温度が変化し、室温センサ５０が正確な室温を検出することができない。そのため、空気流入口４３から室温センサ５０までの寸法は、短く構成されることが望ましい。つまり、図１０に示されるように、室内機１００の前後方向の位置において、空気流入口４３の開口と同じ位置に通気口２２の室内機背面側の端部が配置されている構成が望ましい構成である。すなわち、上記の構成を取ることにより、空気流入口４３から通気口２２までの距離が最短となり、かつ室内機１００の側面方向に開口された通気口２２が側面パネル３１により覆い隠されている。そのため、室内機１００は、正確な室温を検知でき、かつ室内機１００の側面に室温検知のための穴等を設けることがないため、外観デザインに影響を受けない。
【００３１】
なお、実施の形態１においては、室温センサ５０は、室内機１００の正面から見て右側の側面に配置される構成について説明したが、室内機１００の右側だけに限定されることはない。室内機１００の左側の側面に実施の形態１と同じ構造を適用することにより、右側の側面に設けたのと同じ効果が得られる。
【００３２】
実施の形態２．
実施の形態２は、実施の形態１に対し側面パネル３１ａの構造を変更したものである。なお、実施の形態２においては、実施の形態１に対する変更点を中心に説明する。実施の形態１の空気調和機の室内機１００と同一の構成を有する部位には同一の符号を付してその説明を省略する。
【００３３】
図１２は、本発明の実施の形態２における室内機２００の右側の側面パネル２３１ａを裏側から見た斜視図である。室内機２００は、実施の形態１の室内機１００に対し側面パネル３１ａ及び筐体側面部３５ａの構造が異なる。実施の形態２の側面パネル２３１ａは、基部４０の外縁部から基部４０の法線方向に立ち上がっている外周壁４１ｂ、４１ｃを有する。つまり、実施の形態１においては、側面パネル２３１ａは、天面側の外周壁４１ａ及び背面側の外周壁４１ｄが無い構造である。側面パネル２３１ａは、天面側の外周壁４１ａ及び背面側の外周壁４１ｄが無いが、室内機２００の使用者からは視認しにくい部分の外周壁４１を設けていない構造であるため、室内機２００の外観デザインには影響を与えない。このような構造の側面パネル２３１ａを備える室内機２００は、外周壁４１が無いため、側面パネル２３１ａを成形するための樹脂量を減らすことができ、コストを下げられる。
【００３４】
側面パネル２３１ａは、流路壁４２ａ〜４２ｃを備える。流路壁４２ａ〜４２ｃ及び基部４０により囲まれた空気流路４４は、筐体側面部３５ａに設けられた通気口２２に側面側から覆い被さるように設けられている。空気流路４４を形成する流路壁４２ａ〜４２ｃは、通気口２２の開口の周囲の３方向を囲うように設置されている。側面パネル２３１ａは、背面側の外周壁４１ｄが無く、流路壁４２ａ及び流路壁４２ｃが基部４０の外縁部から内側に向かって延びる構造になっている。流路壁４２ａ及び流路壁４２ｃの基部４０外縁側に位置する端面と、基部４０の端面とにより空気流入口４３が形成されている。このような構造により、室温センサ５０に室内の空気を導入する経路は、実施の形態１と同じ構成となる。よって、実施の形態２においても室内の空気は、図１０に示される空気流Ｃのように筐体３０内に流入する。
【００３５】
図１３は、本発明の実施の形態２における室内機２００の右側の筐体側面部２３５ａの斜視図である。図１３に示されるように、筐体側面部２３５ａは、側面パネル２３１ａで覆われる面に、穴２５を設けてもよい。穴２５は、通気口２２の周囲にある側面パネル２３１ａに設けられた流路壁４２ａ〜４２ｃと接して空気流路４４を構成する面以外の面に設けられる。このように構成することにより、空気流入口４３から通気口２２までの部分は、実施の形態１と同様に室内の空気を室温センサ５０に導入する空気流Ｃ（図１０及び図１１参照）が形成される。一方、側面パネル２３１ａの外周壁４１が設けられていない天面側及び背面側の部分の開口は、穴２５へ空気を導入するための開口になる。側面パネル２３１ａと筐体側面部２３５ａとが組み合わされることにより、基部４０と筐体側面部２３５ａとの間の空間が形成され、その空間は、穴２５へ空気を導入するための経路になる。上記の構成をとることにより、室内機２００内に空気を吸い込む吸込面積が拡大され吸込まれる空気の圧力損失が小さくなり、送風性能が改善される。かつ、室温センサ５０への空気の導入経路は実施の形態１と同様に独立して確保されているため、正確な室温検知が可能となる。なお、以上では室内機２００の右側の側面パネル２３１ａと筐体側面部２３５ａについて説明をしたが、室内機２００の左側においても、側面パネル２３１ａと同様に側面パネル３１ｂを天面側及び背面側の外周壁４１が設けられていない構造にし、筐体側面部２３５ａと同様に筐体側面部３５ｂに穴２５を設けても良い。室内機２００の左右両側にこのような構成を採用することにより、さらに室内機２００の送風性能が改善される。
【００３６】
実施の形態３．
実施の形態３は、実施の形態１に対し側面パネル３１ａの構造を変更したものである。なお、実施の形態３においては、実施の形態１に対する変更点を中心に説明する。実施の形態１の空気調和機の室内機１００と同一の構成を有する部位には同一の符号を付してその説明を省略する。
【００３７】
図１４は、本発明の実施の形態３における室内機３００の右側の側面パネル３３１ａを裏側から見た斜視図である。室内機３００は、実施の形態１の室内機１００に対し、側面パネル３１ａを変更したものであり、その他の構造は同じである。側面パネル３３１ａは、実施の形態１の側面パネル３１ａのように中空構造で流路壁４２ａ〜４２ｃを設けた構造でなくともよい。図１４に示されるように、板部３４０の一部に凹形状部３４８を設け、凹形状部３４８を設けることにより形成された垂直の壁を流路壁３４２ａ〜３４２ｃとすることができる。なお、流路壁３４２は、板部３４０の平板部の面、つまり室内機３００の外観側面となる面に対し必ずしも垂直である必要はなく、傾斜していてもよい。
【００３８】
図１５は、本発明の実施の形態３における室内機の図１のＢ−Ｂ断面を表す図である。凹形状部３４８は、筐体側面部３５ａに設けられている通気口２２を室内機３００の側面側から覆い、空気流路４４を形成する。凹形状部３４８の室内機３００背面側に面する開口部は、空気流入口４３となる。このような構造により、室温センサ５０に室内の空気を導入する経路は、実施の形態１と同じ構成となる。よって、実施の形態３においても室内の空気は、図１０に示される空気流Ｃのように筐体３０内に流入する。
【００３９】
このような構成においても、室内の空気は実施の形態１と同じように筐体３０内に流入するため、実施の形態１と同様の効果を得つつ、さらに実施の形態１の室内機１００の側面パネル３１ａの構造を変更することができる。
【００４０】
実施の形態４．
実施の形態４は、実施の形態１に対し筐体側面部３５ａの構造を変更したものである。なお、実施の形態４においては、実施の形態１に対する変更点を中心に説明する。実施の形態１の空気調和機の室内機１００と同一の構成を有する部位には同一の符号を付してその説明を省略する。
【００４１】
図１６は、本発明の実施の形態４における室内機４００の右側の筐体側面部４３５ａの斜視図である。図１６は、図６に示されている筐体側面部３５ａの通気口２２が設けられている面を中心に、模式的に表したものである。室内機４００は、実施の形態１の室内機１００に対し、側面パネル３１ａ及び筐体側面部３５ａを変更したものであり、その他の構造は同じである。実施の形態４においては、図１６に示されるように、筐体側面部４３５ａに段差を設けてある。段差面４３９は、室内機４００の背面側を向いて形成されている。筐体側面部４３５ａは、通気口２２が設けられている面４３８と面４３８に対し室内機４００側面方向に所定の距離、例えば実施の形態４においては５ｍｍだけ離れた面４３７を有する。すなわち、面４３８と面４３７には５ｍｍの段差が生じている。面４３７は、通気口２２の周囲の部分のみ凹んでいて、通気口２２の周囲に面４３８に垂直に壁が設けられて流路壁４４２ａ〜４４２ｃが形成されている。なお、流路壁４４２は、通気口２２が設けられている面４３８に対し必ずしも垂直である必要はなく、傾斜していてもよい。
【００４２】
図１７は、本発明の実施の形態４における図１のＢ−Ｂ断面を表す図である。図１６に示されている、面４３７に側面パネル４３１ａが組み付けられている。側面パネル４３１ａは、平板状であり、筐体側面部４３５ａに設けられた通気口２２の周囲の流路壁４４２の上から覆い被さることにより、空気流路４４を形成する。室内機４００背面側に面している通気口２２の周囲の流路壁４４２の開口部は、空気流入口４３となる。このような構造により、室温センサ５０に室内の空気を導入する経路は、実施の形態１と同じ構成となる。よって、実施の形態４においても室内の空気は、図１０に示される空気流Ｃと同様に筐体３０内に流入する。
【００４３】
このような構成においても、室内の空気は実施の形態１と同じように筐体３０内に流入するため、実施の形態１と同様の効果を得つつ、さらに実施の形態１の室内機１００の筐体側面部３５ａの構造を変更することができる。なお、筐体側面部４３５ａにおいて、図１６に示されている面４３７は、肉をくりぬいて箱形の形状にしても良い。箱形にしても通気口２２の周囲の流路壁４４２ａ〜４４２ｃが設けられていれば、側面パネル４３１ａに覆われることにより空気流路４４及び空気流入口４３が形成される。
【００４４】
なお、実施の形態１〜４において空気流入口４３の開口は背面側に形成するだけ限らず、天面側、下面側、前面側に形成してもよい。空気流路４４及びそれを構成する流路壁４２、２４２、３４２、４４２も空気流入口４３を形成する面に合せて方向を変えればよい。ただし、本発明の実施の形態１〜４で説明した、室内機の背面側に空気流入口４３を設ける構成が、室内空気を効率よく室内機内に取り込むためには都合が良い。例えば天面に設けた場合は、空気流入口４３から塵埃等が侵入しやすくなり、底面及び前面に空気流入口４３を設けた場合は、室内に設置したときに使用者が視認しやすくなる。しかし、このような構成でも空気流路は実施の形態１〜４と同じように形成されるため、室内空気の温度検知は可能である。
【００４５】
＜本発明の効果＞
本発明の実施の形態１〜４に係る空気調和機の室内機１００、２００、３００、４００は、背面が壁に取り付けられる筐体３０と、筐体３０に設けられた吸込口１１及び吹出口１２と、吸込口１１から吹出口１２に至る主風路１０に配置された熱交換器１３及び送風機１４と、取り込まれた空気の温度を検知する室温センサ５０と、を備え、筐体３０は、背面に隣接した側面に、室温センサ５０に送る空気を取り込む空気流入口４３を有する。室温センサ５０は、空気流入口４３から主風路１０までを接続する風路に設けられ、空気流入口４３は、背面側に向いて開口されている。
このように構成されることにより、空気調和機の室内機１００、２００、３００、４００は、室温センサ５０に送り込むための室内の空気を、使用者から視認しにくい位置にある空気流入口４３から取り込むことができる。使用者から視認しにくい位置に空気流入口４３が設けられているため、空気流入口４３はその開口面積を自由に設定することができる。そのため、室内機１００、２００、３００、４００は、正確に室温を検知することができ、かつ外観デザインに影響しないように空気流入口４３を設けることができる。
【００４６】
本発明の実施の形態１〜４に係る空気調和機の室内機１００、２００、３００、４００は、筐体３０の側面は、筐体３０の外側に位置する第１面３８と、第１面３８から筐体３０の内側方向に離れて位置する第２面３９との間に形成された段差面４５を有し、段差面４５は、筐体３０の背面側に向き、段差面４５に背面側に向いて開口された凹形状部を備え、空気流入口４３は、凹形状部の開口部である。
このように構成されることにより、室内機１００、２００、３００、４００は、上記の効果に加えて、筐体３０にスペースの効率よく空気流入口４３を設けることができる。
【００４７】
本発明の実施の形態１〜４に係る空気調和機の室内機１００、２００、３００、４００は、凹形状部の内部に筐体３０の内部に連通する通気口２２を備え、空気流入口４３から凹形状部、通気口２２を経て室温センサ５０に至る空気流路４４を有する。
このように構成されることにより、室内機１００、２００、３００、４００は、上記の効果に加えて、室温センサに導かれる空気を筐体３０の内部の熱影響を受けることを防止することができる。
【００４８】
本発明の実施の形態１〜４に係る空気調和機の室内機１００、２００、３００、４００の筐体３０は、側面側の構造となる筐体側面部３５ａと、筐体側面部３５ａを覆う側面パネル３１ａと、を備え、筐体側面部３５ａは、第２面３９と通気口２２と、を有し、側面パネル３１は、第１面３８を有し、筐体側面部３５ａに組み付けられて段差面４５を形成する。また、凹形状部は、通気口２２の周囲に立設される流路壁４２を備え、流路壁４２は、筐体３０の背面側が開放され、側面パネル３１ａは、第１面３８を筐体３０の外側に有する基部４０と、基部４０の外縁部から立設する外周壁４１と、を備え、空気流路４４は、通気口２２と、通気口２２が設けられた面と、流路壁４２と、基部４０と、により形成される。さらに流路壁４２は、筐体側面部３５ａに立設される、又は側面パネル３１ａの前記基部に立設される。
このように構成されることにより、室内機１００、２００、３００、４００は、上記の効果に加えて、筐体３０を構成する部品である側面パネル３１又は筐体側面部３５ａを中空構造にして、材料費を抑えて製作することができる。
【００４９】
本発明の実施の形態１〜４に係る空気調和機の室内機１００、２００、３００、４００の室温センサ５０は、通気口２２と主風路１０とを接続する副風路に設置される。また、室内機を制御する制御基板を収納する電気部品箱２０をさらに備え、電気部品箱２０は、副風路に設置され、室温センサ５０は、電気部品箱２０の下部に設置される。
このように構成されることにより、室内機１００、２００、３００、４００は、空気調和機の運転とともに室温センサ５０に室内の空気が導かれ室温検知しつつ、室温を測定した後の空気は電気部品箱２０等の内部構造を冷却することが可能となる。これにより、電気部品箱２０の温度影響も抑えつつ、室温センサ５０による温度検知が可能となっている。
【符号の説明】
【００５０】
１０  主風路、１１  吸込口、１２  吹出口、１３  熱交換器、１４  送風機、１５  左右風向板、１６  上下風向板、２０  電気部品箱、２２  通気口、２５  穴、２６  面、３０  筐体、３１  側面パネル、３１ａ  側面パネル、３１ｂ  側面パネル、３２  上面パネル、３３  前面パネル、３３ａ  筐体側面部、３４  背面ケーシング、３５ａ  筐体側面部、３５ｂ  筐体側面部、３６  筐体正面部、３７  筐体底部、３８  第１面、３９  第２面、４０  基部、４１  外周壁、４１ａ  外周壁、４１ｂ  外周壁、４１ｃ  外周壁、４１ｄ  外周壁、４２  流路壁、４２ａ  流路壁、４２ｂ  流路壁、４２ｃ  流路壁、４３  空気流入口、４４  空気流路、４５  段差面、４６  段差、５０  室温センサ、１００  室内機、２００  室内機、２３１ａ  側面パネル、２３５ａ  筐体側面部、２４２  流路壁、３００  室内機、３３１ａ  側面パネル、３４０  板部、３４２  流路壁、３４２ａ  流路壁、３４２ｂ  流路壁、３４２ｃ  流路壁、３４８  凹形状部、４００  室内機、４３１ａ  側面パネル、４３５ａ  筐体側面部、４３７  面、４３８  面、４３９  段差面、４４２  流路壁、４４２ａ  流路壁、４４２ｂ  流路壁、４４２ｃ  流路壁、Ａ  室温センサ周辺部、Ｃ  空気流。
【図１】
2017138063.tif 000003
【図２】
2017138063.tif 000004
【図３】
2017138063.tif 000005
【図４】
2017138063.tif 000006
【図５】
2017138063.tif 000007
【図６】
2017138063.tif 000008
【図７】
2017138063.tif 000009
【図８】
2017138063.tif 000010
【図９】
2017138063.tif 000011
【図１０】
2017138063.tif 000012
【図１１】
2017138063.tif 000013
【図１２】
2017138063.tif 000014
【図１３】
2017138063.tif 000015
【図１４】
2017138063.tif 000016
【図１５】
2017138063.tif 000017
【図１６】
2017138063.tif 000018
【図１７】
2017138063.tif 000019
【国際調査報告】
2017138063.tif 000020
2017138063.tif 000021